(57)【特許請求の範囲】
【請求項１】
光コネクタ用アダプタ本体の左右側面に形成された係止突部と、該係止突部に対向して形成されたパネル固定用のバネ性係止片とを備え、該バネ性係止片を押圧しながらパネルのアダプタ取付孔に挿入され、前記係止突部とバネ性係止片との間にパネル開口縁部を挟んで固定可能にしてなる光コネクタ用アダプタであって、光コネクタ用アダプタ本体の上面または下面に切欠形成された隙間を介して、パネル開口縁内側に押接するよう根元から若干斜め外方向に切り起こしてなるガタ止め用の係止バネを光コネクタ用アダプタ本体に樹脂によって一体形成してなることを特徴とする光コネクタ用アダプタ。
【請求項２】
係止バネは、光コネクタ用アダプタ本体の厚さと略同じか、あるいはそれ以下の厚さであるものとした請求項１記載の光コネクタ用アダプタ。
【請求項３】
係止バネは、その上面が光コネクタ用アダプタ本体の壁面に向けて順次圧潰されながらパネルにおけるアダプタ取付孔に嵌着され、パネルを押圧してガタを防止するものとした請求項１または２記載の光コネクタ用アダプタ。
【発明の詳細な説明】
【技術分野】
【０００１】
本発明は、光コネクタプラグの高密度実装に使用するのに好適な光コネクタ用アダプタに関する。
【背景技術】
【０００２】
従来、光コネクタプラグの高密度実装に使用する光コネクタ用アダプタ１００をパネルＰのアダプタ取付孔Ｑに取り付ける場合、図１２（ａ）、図１２（ｂ）に示すように、該光コネクタ用アダプタ１００の左右両サイドに係止突部１０１ａと、該係止突部１０１ａに対向して形成されたパネル固定用のバネ性係止片１０１ｂとを備えたスナップイン方式を採っている。
【０００３】
しかし、このようなスナップイン方式によると、図１４（ａ）に示すように、パネルＰのアダプタ取付孔Ｑと光コネクタ用アダプタ１００との間に若干のクリアランスが生じるため、図１４（ｂ）に示すように、パネルＰを動かすと光コネクタ用アダプタ１００がガタ付いてガタガタと音を出してしまう問題があった。
【０００４】
このようなガタガタ音が出るのを未然に防止するため、従来では、図１３（ａ）、図１３（ｂ）に示すように、光コネクタ用アダプタ１００の両サイドのフランジ１０２を大きくして、そこに孔１０３を設け、この孔１０３に例えばタッピングネジ等の締結部材１０４をパネルＰを貫通するようにねじ込むことで光コネクタ用アダプタ１００のガタ付きを無くす方式が採られている。
【特許文献１】特になし
【発明の開示】
【発明が解決しようとする課題】
【０００５】
しかしながら、従来においては、光コネクタ用アダプタの両サイドにおけるフランジにネジ止めのスペースを設けた分だけ当該光コネクタ用アダプタの外形が大きくなるため、高密度の実装には向かず、しかも操作性が悪いものとなるという問題点を有していた。
【０００６】
そこで、本発明は、叙上のような従来存した諸事情に鑑み案出されたもので、光コネクタ用アダプタ本体をパネルに取り付けた際に、光コネクタ用アダプタ本体のガタ付きを容易且つ確実に無くすことができ、パネルに震動を与えてもガタガタ音の発生を防ぐことができ、しかも光コネクタ用アダプタ本体への光コネクタプラグの挿入が支障なく行えるものとした光コネクタ用アダプタを提供することを目的とする。
【課題を解決するための手段】
【０００７】
上述した課題を解決するため、本発明にあっては、光コネクタ用アダプタ本体の左右側面に形成された係止突部と、該係止突部に対向して形成されたパネル固定用のバネ性係止片とを備え、該バネ性係止片を押圧しながらパネルのアダプタ取付孔に挿入され、前記係止突部とバネ性係止片との間にパネル開口縁部を挟んで固定可能にしてなる光コネクタ用アダプタであって、光コネクタ用アダプタ本体の上面または下面に切欠形成された隙間を介して、パネル開口縁内側に押接するよう根元から若干斜め外方向に切り起こしてなるガタ止め用の係止バネを光コネクタ用アダプタ本体に樹脂によって一体形成してなることを特徴とする。
【０００８】
係止バネは、光コネクタ用アダプタ本体の厚さと略同じか、あるいはそれ以下の厚さで形成されている。
【０００９】
係止バネは、その上面が光コネクタ用アダプタ本体の壁面に向けて順次圧潰されながらパネルにおけるアダプタ取付孔に嵌着され、パネルを押圧してガタを防止するよう形成されている。
【発明の効果】
【００１０】
本発明によれば、光コネクタ用アダプタ本体の左右側面に形成された係止突部と、該係止突部に対向して形成されたパネル固定用のバネ性係止片とを備え、該バネ性係止片を押圧しながらパネルのアダプタ取付孔に挿入され、前記係止突部とバネ性係止片との間にパネル開口縁部を挟んで固定可能にしてなる光コネクタ用アダプタであって、光コネクタ用アダプタ本体の上面または下面に切欠形成された隙間を介して、パネル開口縁内側に押接するよう根元から若干斜め外方向に切り起こしてなるガタ止め用の係止バネを形成してなるので、光コネクタ用アダプタ本体をパネルに取り付けた際に、光コネクタ用アダプタ本体のガタ付きを容易且つ確実に無くすことができ、パネルに震動を与えてもガタガタ音の発生を防ぐことができ、しかも光コネクタ用アダプタ本体への光コネクタプラグの挿入が支障なく行える。また、係止バネの周囲に隙間を設ければ係止バネの成形も容易に行える。
【００１１】
光コネクタ用アダプタ本体のアダプタ取付孔に挿入されるガタ止め用の係止バネは、アダプタ取付孔内に圧入されることによりパネルを押圧して固定されるものとなっているので、光コネクタ用アダプタ本体をクリアランスを生じさせない状態でスムーズに嵌着させることができ、光コネクタ用アダプタ本体が全ての周面でガタ付くことなくしっかりと固定されるのは勿論、作業性も良い。
【００１２】
また、係止バネは、光コネクタ用アダプタ本体の厚さと略同じか、あるいはそれ以下の厚さであるものとしたので、光コネクタ用アダプタ本体をアダプタ取付孔に挿入することで係止バネが圧潰された際に、当該係止バネは光コネクタ用アダプタ本体内側のスリーブホルダー側に突出されないことから、装着される光コネクタ用プラグと係止バネとが互いに干渉しないものとなり、したがって光コネクタ用プラグの嵌合の支障にはならない。
【００１３】
係止バネは、光コネクタ用アダプタ本体に樹脂によって一体形成してなるので、係止バネの根元部分の腰の強さが大きく得られ、パネルに対する強固な保持力が得られる。
【発明を実施するための最良の形態】
【００１４】
以下、図面を参照して本発明に係る光コネクタ用アダプタを実施するための最良の一形態を詳細に説明する。
【００１５】
図示例で示す本発明に係る光コネクタ用アダプタは、２心コネクタ用のアダプタ本体１によって構成され、高密度実装可能としたパネルＰの矩形開口状のアダプタ取付孔Ｑに嵌着固定されるものである。尚、１心あるいは３心以上のコネクタ用のアダプタ本体１でもよいことは勿論である。
【００１６】
このアダプタ本体１は、図１、図３、図５乃至図９に示すように、二つの光コネクタプラグ相互を接続できるように、合成樹脂の成型品でなる角筒状のアダプタハウジング２の両端に、光学軸が一致するように光コネクタプラグの一方の嵌合部Ａと、光コネクタプラグその他の光学部品の他方の嵌合部Ｂとをそれぞれ備えている。
【００１７】
更に詳しく説明すると、アダプタハウジング２は、図１、図７、図９に示すように、上側壁、左右の側壁、底壁、１つの仕切壁とが一体に形成されて２つの嵌合部Ａ、Ａ（Ｂ、Ｂ）が並置されて成り、アダプタハウジング２の中央には略コ字枠状となった左右一対の接合端壁３ａが配置され、一方の嵌合部Ａにおける嵌合端３ｂ、および他方の嵌合部Ｂにおける接続端３ｃがそれぞれ水平方向に開口している。
【００１８】
また、アダプタハウジング２の中央部に配される左右一対の接合端壁３ａの一方には、一方の円筒４ａが嵌合端３ｂに向かって突設してあると共に、他方の接合端壁３ａには、他方の円筒４ｂが接続端３ｃに向かって突設してあり、両円筒４ａ、４ｂが光学軸上で中心軸を一致させて接合端壁３ａ同士を係合固定することによってスリーブホルダー４が形成される。このとき、スリーブホルダー４内側に円筒状の割りスリーブ５が装着され保持されている。
【００１９】
光コネクタ用プラグは、例えばＬＣ型のプラグ本体１１によって構成されており、該プラグ本体１１は、図１０に示すように、カップリングスリーブ１２と、このカップリングスリーブ１２内にフェルール用チューブ１３およびフェルールフレーム１４に装着されたフェルール１５と、フェルールフレーム１４の後端部外周に装着されるスプリング１６と、このスプリング１６を介してフェルールフレーム１４の後端部に嵌合する本体フレーム１７と、該本体フレーム１７後部に装着されたブーツ２０とを具備する。
【００２０】
また、図１０に示すように、カップリングスリーブ１２の外周面には、アダプタ本体１との係合およびその解除を行うための解除レバー１８がカップリングスリーブ１２に一体的に設けられている。この解除レバー１８は、カップリングスリーブ１２の先端部から後端部に向かって徐々にカップリングスリーブ１２外表面から離れるように傾斜して延設されており、その後端部は、本体フレーム１７の外周面に形成されたラッチレバー１９に当接するようカップリングスリーブ１２とは反対側に傾斜状に突出している。
【００２１】
次に、本発明に係る光コネクタ用アダプタについて詳細に説明する。
【００２２】
アダプタ本体１のアダプタハウジング２には、図１乃至図４に示すように、その左右側面中央に一体形成された縦長突起状の係止突部１０１ａと、該係止突部１０１ａに対向するよう前側から後方に向けて弾性を付与した状態で突設したパネル固定用のバネ性係止片１０１ｂとを備えており、アダプタ本体１は、バネ性係止片１０１ｂを押圧しながらパネルＰのアダプタ取付孔Ｑに挿入され、前記係止突部１０１ａとバネ性係止片１０１ｂとの間にパネルＰ開口縁部を挟み込んで固定されるものとしてある。
【００２３】
また、図１乃至図６に示すように、これら係止突部１０１ａおよびバネ性係止片１０１ｂとは別に、例えばアダプタ本体１の上面前方側における左右対称位置には、パネル開口縁内側に押接するよう前方の根元から後方に向けて若干斜め外方向に起こしてなる板状のガタ止め用の係止バネ２１を、例えばコ字状に切欠形成された隙間２２を介して斜め上方に切り起こすことで形成してある。
【００２４】
このとき、係止バネ２１は、アダプタ本体１のアダプタハウジング２の厚さと略同じか、あるいはそれ以下の厚さに設定される。こうすることで、アダプタ本体１をパネルＰのアダプタ取付孔Ｑに挿入することで係止バネ２１が圧潰された際に、当該係止バネ２１はアダプタ本体１内側のスリーブホルダー側に突出されないことから、プラグ本体１１をアダプタハウジング２の各嵌合端３ｂに接続した際には、係止バネ２１は、プラグ本体１１の先端接続部分と干渉しないようになっている。
【００２５】
そして、アダプタ本体１がパネルＰのアダプタ取付孔Ｑに挿入された際には、ガタ止め用の係止バネ２１は、アダプタ取付孔Ｑ内に圧入されることによりパネルＰを内側から押圧して固定されるものとなっている。
【００２６】
ところで、この隙間２２の形状はコ字状に限らず、係止バネ２１と共に例えばＵ字状・Ｃ字状もしくはＶ字上等であっても良い。また、係止バネ２１の形成位置もアダプタ本体１の上面に限らず、下面に形成しても良い。さらに、係止バネ２１の個数も２つに限定されるものではない。
【００２７】
尚、図１１に示す光コネクタ用アダプタは、４心コネクタ用のアダプタ本体１によって構成されているものである。この場合、上側壁、左右の側壁、底壁、３つの仕切壁とが一体に形成されて４つの嵌合部Ａ、Ａ、Ａ、Ａ（Ｂ、Ｂ、Ｂ、Ｂ）が並置されて成る。
【００２８】
次に、以上のように構成された本発明・光コネクタ用アダプタの最良の形態における係止バネ２１の組立手順の一例について詳細に説明する。
【００２９】
先ず、図６、図７に示すように、パネルＰに設けられたアダプタ取付孔Ｑにアダプタ本体１のアダプタハウジング２を挿入する。このとき、アダプタ本体１は、バネ性係止片１０１ｂを押圧しながらパネルのアダプタ取付孔Ｑに挿入され、図９に示すように、前記係止突部１０１ａとバネ性係止片１０１ｂとの間にパネル開口縁部を挟み込んで固定される。これと同時に、図８に示すように、係止バネ２１の上面がアダプタハウジング２の上側壁に向けて根元から順次圧潰されながらしっかりとアダプタ取付孔Ｑに嵌着保持される。
【００３０】
そして、嵌着後には、図１０に示すように、プラグ本体１１をアダプタハウジング２の各嵌合端３ｂに接続する。このとき、係止バネ２１は、アダプタ本体１のアダプタハウジング２の厚さと略同じか、あるいはそれ以下の厚さに設定されていることから、係止バネ２１の下面とプラグ本体１１の先端接続部分とは互いに干渉しない。
【図面の簡単な説明】
【００３１】
【図１】本発明を実施するための最良の形態における光コネクタ用アダプタの斜視図である。
【図２】同じく平面図である。
【図３】同じく正面図である。
【図４】同じく側面図である。
【図５】図３中のＡ−Ａ断面図である。
【図６】光コネクタ用アダプタをアダプタ取付孔に装着する前状態を側面から見た断面図である。
【図７】光コネクタ用アダプタをアダプタ取付孔に装着する前状態を平面から見た断面図である。
【図８】光コネクタ用アダプタをアダプタ取付孔に装着した状態を側面から見た断面図である。
【図９】光コネクタ用アダプタをアダプタ取付孔に装着した状態を平面から見た断面図である。
【図１０】プラグ本体をアダプタハウジングの各嵌合端に接続した状態の断面図である。
【図１１】光コネクタ用アダプタの他例を示す斜視図である。
【図１２】従来例を示し、（ａ）はスナップイン方式の例を示す光コネクタ用アダプタの斜視図、（ｂ）は同じく平面図である。
【図１３】従来例を示し、（ａ）はネジ止め方式による光コネクタ用アダプタの斜視図、（ｂ）は同じく平面図である。
【図１４】従来例を示し、（ａ）は光コネクタ用アダプタをアダプタ取付孔に装着した状態の断面図、（ｂ）はクリアランスによってガタ付いている状態の断面図である。
【符号の説明】
【００３２】
Ｐ        パネル
Ｑ        アダプタ取付孔
Ａ        一方の嵌合部
Ｂ        他方の嵌合部
１        アダプタ本体
２        アダプタハウジング
３ａ      接合端壁
３ｂ      嵌合端
３ｃ      接続端
４        スリーブホルダー
４ａ      一方の円筒
４ｂ      他方の円筒
５        割りスリーブ
１１      プラグ本体
１２      カップリングスリーブ
１３      フェルール用チューブ
１４      フェルールフレーム
１５      フェルール
１６      スプリング
１７      本体フレーム
１８      解除レバー
１９      ラッチレバー
２０      ブーツ
２１      係止バネ
２２      隙間
１００    光コネクタ用アダプタ
１０１ａ  係止突部
１０１ｂ  パネル固定用のバネ性係止片
１０２    フランジ
１０３    孔
１０４    締結部材
【図１】
0005122356.tif 000002
【図２】
0005122356.tif 000003
【図３】
0005122356.tif 000004
【図４】
0005122356.tif 000005
【図５】
0005122356.tif 000006
【図６】
0005122356.tif 000007
【図７】
0005122356.tif 000008
【図８】
0005122356.tif 000009
【図９】
0005122356.tif 000010
【図１０】
0005122356.tif 000011
【図１１】
0005122356.tif 000012
【図１２】
0005122356.tif 000013
【図１３】
0005122356.tif 000014
【図１４】
0005122356.tif 000015